(57)【要約】【課題】着用時の美観を損なうことなく良好な着用感を確保でき、一般の高齢者が抵抗感なく着用できる高齢者用の衣類を提供する。【解決手段】前身頃２と、後身頃３と、袖部４とを備えた高齢者用の肌着１であって、既製肌着の規格サイズに対応して設定された基準パターンＢＰに対して、袖付け部５，６の前刳りが深く、後刳りが浅く設定され、前身頃２及び後身頃３の肩先７の位置が前記基準パターンＰＢと略同じ位置で、肩先７から首先８に到る肩接ぎ部９の水平面に対する角度θが前記基準パターンＢＰよりも立つように設定されている。【選択図】図５
2014047457.tif 000002
【特許請求の範囲】
【請求項１】
前身頃と、後身頃と、袖部とを備えた高齢者用の衣類であって、
既製衣類の規格サイズに対応して設定された基準パターンに対して、袖付け部の前刳りが深く、後刳りが浅く設定され、
前身頃及び後身頃の肩先の位置が前記基準パターンと略同じ位置で、肩先から首先に到る肩接ぎの水平面に対する角度が前記基準パターンよりも立つように設定されている高齢者用の衣類。
【請求項２】
後首刳りが前記基準パターンより浅く設定され、身丈が前記基準パターンよりも短く設定されている請求項１記載の高齢者用の衣類。
【請求項３】
前身頃と、後身頃と、袖部とを備えた高齢者用の衣類であって、
後身頃の袖付け部の刳りが、前身頃の袖付け部の刳りより小さく設定され、前身頃及び後身頃の肩先から首先に到る肩接ぎの水平面に対する角度が２０度から４０度の範囲に設定されている高齢者用の衣類。
【請求項４】
前記袖部は、前袖部と後袖部の裁ち端が外方に向けて揃えられ、針糸の張力を弱めた状態でオーバーロック縫いされた袖縫い部を備えている請求項１から３の何れかに記載の高齢者用の衣類。
【請求項５】
前記袖部と前身頃及び後見頃の縫着部は、裁ち端が肌側に向けて揃えられ、オーバーロック縫いされている請求項４記載の高齢者用の衣類。
【請求項６】
前身頃及び後身頃が丸編機で編成され、脇縫い部の無い筒状体で構成されている請求項１から５の何れかに記載の高齢者用の衣類。
【発明の詳細な説明】
【技術分野】
【０００１】
本発明は、前身頃と、後身頃と、袖部とを備えた高齢者用の衣類に関する。
【背景技術】
【０００２】
一般に、既製衣類のサイズは日本工業規格で規定されており、成人男子衣料のサイズはJIS L4004で規定され、成人女子用衣料のサイズはJIS L4005で規定されている。当該規格によれば、男女ともに「範囲表示」という表示態様がサイズの表示に用いられる。
【０００３】
成人男子用の上半身用衣類の「範囲表示」は、チェストで規定される基本身体寸法に従ってＭサイズ、Ｌサイズ等に区分して表示される。例えば、チェスト８８〜９６ｃｍがＭサイズに対応し、チェスト９６〜１０４ｃｍがＬサイズに対応する。Ｍサイズの中心値は、チェスト９２ｃｍであり、Ｌサイズの中心値は、チェスト１００ｃｍである。
【０００４】
成人女子用の上半身用衣類の「範囲表示」は、バストで規定される基本身体寸法に従ってＭサイズ、Ｌサイズ等に区分して表示される。例えば、バスト７９〜８７ｃｍがＭサイズに対応し、バスト８６〜９４ｃｍがＬサイズに対応する。
【０００５】
既製衣類は、各サイズの中心値に対して定められた数値範囲内の体形の人が快適に着用できるように、基準パターンが設定されており、当該基準パターンに基づいて生地が裁断され、裁断された生地片が縫着されて衣類が完成される。
【０００６】
しかし、平均寿命が長くなった現在、成人といっても２０歳の若者から高齢者まで年齢幅が極めて広くなっており、これまでのように同サイズの衣類を単一の基準パターンで製造すると、同じサイズの衣類を着用する全ての人に良好な着心地を与えることが困難であるという問題が生じてきている。
【０００７】
特に高齢者の上半身には、以下の身体的特徴が現れる傾向がある。即ち、身長が低くなり、腰が曲がり後に引ける。僧帽筋や三角筋が萎縮して、なで肩になる。広背筋等の筋力が衰えて肩甲骨下角間幅が広がり胸椎が前傾した猫背になる。猫背とは、首がやや前方に屈み、背が丸くなった姿勢をいう。
【０００８】
そのため、このような身体的な特徴を備えた高齢者が既製の衣類を着用すると、前身頃に撓みを生じる一方で後身頃に突っ張りを感じ、フィット感が得られないため、不快に感じる場合もある。
【０００９】
特許文献１には、肌との摩擦が低く着心地の良いシャツを提供することを目的として、前身頃と後身頃と少なくとも肩を覆う部分を含むシャツであって、前記肩を覆う部分と前身頃及び後身頃の接続部は、肩峰より下った部分に存在し、前記前身頃と後身頃の接続部は、人体の脇の凹み部から下に向いて下がり、脇腹から大臀部の上部に向かう曲線を形成していることを特徴とするシャツが提案されている。
【００１０】
また特許文献２には、老人等の猫背の人が着用時に背中が出ることが無い肌着として、後身頃の脇部位の長さを前身頃の脇部位より長くし、後身頃にポケット部を設け、ポケット部の口部に留めを設けた肌着が提案されている。
【先行技術文献】
【特許文献】
【００１１】
【特許文献１】特開２０１０−２４２２４１公報
【特許文献２】特開平０９−１７６９０１号公報
【発明の概要】
【発明が解決しようとする課題】
【００１２】
特許文献１に記載されたシャツは、人体の凹み部に縫着部が位置するように構成されているために、運動時にシャツと肌とが摩擦して肌に不快感を与えることが回避されるが、上述したような高齢者の体形変化には対応できない。
【００１３】
特許文献２に記載された肌着は、猫背に対応するように実質的に身丈を長くすることができるが、肩接ぎが首側点と肩峰点を結ぶ線分から胸側にずれ、背中の丸みが明らかになる等、見栄えが良くないという問題があった。
【００１４】
また、袖部が無いため直接身に付ける肌着として汎用できず、広い腕周りに対応して袖部を縫着すると、袖部の見栄えが良くないという問題も内在している。
【００１５】
さらに、これらの問題は肌着に限らずスポーツシャツ等のアウターウェアにも同様に存在する。
【００１６】
本発明の目的は、上述の問題点に鑑み、着用時の美観を損なうことなく良好な着用感を確保でき、一般の高齢者が抵抗感なく着用できる高齢者用の衣類を提供する点にある。
【課題を解決するための手段】
【００１７】
上述の目的を達成するため、本発明による高齢者用の衣類の第一の特徴構成は、特許請求の範囲の書類の請求項１に記載した通り、前身頃と、後身頃と、袖部とを備えた高齢者用の衣類であって、既製衣類の規格サイズに対応して設定された基準パターンに対して、袖付け部の前刳りが深く、後刳りが浅く設定され、前身頃及び後身頃の肩先の位置が前記基準パターンと略同じ位置で、肩先から首先に到る肩接ぎの水平面に対する角度が前記基準パターンよりも立つように設定されている点にある。
【００１８】
袖付け部の前刳りが深く設定されると実質的に胸幅が狭くなり、また袖付け部の後刳りが浅く設定されると実質的に背幅が広くなる。そのため、袖部に腕を通した着用状態で後身頃に背幅方向の突っ張りを感じることが無くなる。さらに、肩先から首先に到る肩接ぎの水平面に対する角度が基準パターンよりも立つように設定されているため、なで肩に肩接ぎが沿うようになる。しかも、このとき、前身頃及び後身頃の肩先の位置が前記基準パターンと略同じ位置に設定されているため、首先の位置が基準パターンよりも上方に位置することとなり、実質的に身丈が長くなり、身丈方向の突っ張り感も解消される。このような衣類は構成、デザイン上基準パターンと大きく異なることが無いため、着用時の美観を損なうことなく、従って抵抗感なく着用できるようになる。
【００１９】
同第二の特徴構成は、同請求項２に記載した通り、上述の第一特徴構成に加えて、後首刳りが前記基準パターンより浅く設定され、身丈が前記基準パターンよりも短く設定されている点にある。
【００２０】
首がやや前方に屈んだ姿勢に対応して、後首刳りが前記基準パターンより浅く設定されているので、首がやや前方に屈んだ姿勢であっても、首筋が大きく露出すること無く、また裾部が上方に引き上げられることも無い快適な着用状態を維持できるようになる。
【００２１】
同第三の特徴構成は、同請求項３に記載した通り、前身頃と、後身頃と、袖部とを備えた高齢者用の衣類であって、後身頃の袖付け部の刳りが、前身頃の袖付け部の刳りより小さく設定され、前身頃及び後身頃の肩先から首先に到る肩接ぎの水平面に対する角度が２０度から４０度の範囲に設定されている点にある。
【００２２】
後身頃の袖付け部の刳りが、前身頃の袖付け部の刳りより小さく設定されているため、実質的に胸幅が狭くなるとともに背幅が広くなる。そのため、袖部に腕を通した着用状態で後身頃に背幅方向の突っ張りを感じることが無くなる。さらに、肩先から首先に到る肩接ぎの水平面に対する角度が２０度から４０度の範囲に設定されているため、なで肩に肩接ぎが沿うようになる。このような構成により肩先が肩峰付近にフィットした状態で、首先の位置が首椎に沿って上方に位置することとなり、実質的に身丈が長くなり、身丈方向の突っ張り感も解消される。
【００２３】
同第四の特徴構成は、同請求項４に記載した通り、上述の第一から第三の何れかの特徴構成に加えて、前記袖部は、前袖部と後袖部の裁ち端が外方に向けて揃えられ、針糸の張力を弱めた状態でオーバーロック縫いされた袖縫い部を備えている点にある。
【００２４】
袖縫い部の裁ち端が外方に向けて揃えられているので、腕を動かしてもその立ち上がり部が肌に直接接触することが無く、立ち上がり部と肌との摩擦による不快感が生じることが無い。また、袖縫い部は針糸の張力を弱めた状態でオーバーロック縫いされているため、立ち上がり部が比較的平坦になり、また、外観上それほど目立つ部位でないため、美観を損なうこともない。
【００２５】
同第五の特徴構成は、同請求項５に記載した通り、上述の第四の特徴構成に加えて、前記袖部と前身頃及び後見頃の縫着部は、裁ち端が肌側に向けて揃えられ、オーバーロック縫いされている点にある。
【００２６】
袖縫い部と異なり、袖部と前身頃及び後見頃の縫着部は、裁ち端が肌側に向けて揃えられ、オーバーロック縫いされているため、美観を損なうことが無い。
【００２７】
同第六の特徴構成は、同請求項６に記載した通り、上述の第一から第五の何れかの特徴構成に加えて、前身頃及び後身頃が丸編機で編成され、脇縫い部の無い筒状体で構成されている点にある。
【００２８】
上述の構成によれば、肌に当接する脇縫い部が無く、良好なフィット感が得られる衣類を実現できる。丸編機のシリンダー径を腹部がフィットするような径で編成すれば、腹部が下垂し胸周りが細った体形であっても、袖部の刳り量を調整することで様々な体形に対応できるようになる。
【発明の効果】
【００２９】
以上説明した通り、本発明によれば、着用時の美観を損なうことなく良好な着用感を確保でき、高齢者が抵抗感なく着用できる衣類を提供することができるようになった。
【図面の簡単な説明】
【００３０】
【図１】（ａ）は高齢者男子の体形的特徴を示す正面図、（ｂ）は同側面図
【図２】（ａ）は成人男子用のＬサイズの肌着の正面図、（ｂ）は同背面図、（ｃ）は同俯瞰図
【図３】（ａ）は本発明を適用した肌着の正面図、（ｂ）は同背面図
【図４】丸編機で編成された筒状の生地を用いた肌着の説明図
【図５】本発明を適用した肌着のパターンと既製の肌着の基準パターンを対比したパターン説明図
【図６】横編地の生地を用いて縫製された肌着の説明図
【発明を実施するための形態】
【００３１】
以下、本発明を適用した高齢者用の肌着を説明する。
図１（ａ），（ｂ）には、７０歳台以降の高齢者男子に見られる体形的特徴が示されている。具体的に、立位姿勢で身長が十ｃｍ程度低くなり、腰が僅かに前屈して後に引け、僧帽筋や三角筋が萎縮してなで肩になり、広背筋等の筋力が衰えて肩甲骨下角間幅（左右の肩甲骨の下部突出部の間隔）が広がり、胸椎が前傾した猫背になり、腹部が下垂するようになる。
【００３２】
図２（ａ），（ｂ），（ｃ）には、JIS L4004で規定されている成人男子用の「範囲表示」のＬサイズに対応する既製の上衣肌着が示されている。当該肌着は、チェスト１００ｃｍを中心値として、チェスト９６〜１０４ｃｍの体形にフィットするように設計された汎用の基準パターンに従って製造されている。
【００３３】
通常、Ｌサイズの基準パターンは、年齢が３０代前後の世代で身長１７５〜１８５ｃｍの成人男子の平均的体形、具体的にはチェストサイズの中央値に基づいて設計され、Ｍサイズの基準パターンは、年齢が３０代前後の世代で身長１６５〜１７５ｃｍの成人男子のチェストサイズの中央値に基づいて設計されている。つまり、当該汎用の基準パターンは既製肌着の規格サイズ（製造者側でそれぞれ設定され、年齢が３０代前後の世代に対応する汎用の規格サイズ）に対応して設定されている。
【００３４】
そのため、図１に示す身体的特徴を備えた高齢者が、図２に示す肌着を着用すると、前身頃に撓みを生じる一方で後身頃が突っ張るため窮屈に感じるとともに、首筋が露出するため冷えを来たす虞もあった。
【００３５】
図３（ａ），（ｂ）には、このような高齢者にとって快適に着用できる丸首の肌着の正面形状及び背面形状が示されている。当該肌着１は前身頃２と、後身頃３と、袖部４を備えて構成されている。後身頃３の袖付け部５の刳りが、前身頃２の袖付け部６の刳りより小さく設定され、前身頃２及び後身頃３の肩先７から首先８に到る肩接ぎ部９の水平面に対する角度θが２０度から４０度の範囲に設定されている。当該角度θは、２５度から３５度の範囲に設定されることが好ましく、約３０度に設定されることがさらに好ましい。
【００３６】
図４に示すように、当該肌着１は、丸編機で編成された筒状の生地Ｔを用いて製造することができる。具体的に、フライス編またはスムース編の長尺の筒状生地Ｔが所要の身丈Ｌ１を確保可能な長さで裁断されるとともに、筒状体の上部が袖付け部５，６、肩接ぎ部９、及び襟刳り部１０となる部位で裁断され、肩接ぎ部９が縫着されて肩接ぎとなり、袖付け部５，６に袖部４が縫着される。つまり、当該肌着１は、前身頃２及び後身頃３が丸編機で編成され、脇縫い部の無い筒状体で構成されている。
【００３７】
袖縫い部４１は、前袖部４ａと後袖部４ｃの裁ち端が外方に向けて揃えられ、針糸の張力を弱めた状態でオーバーロック縫いされる。袖縫い部４１の裁ち端が外方に向けて揃えられているので、腕を動かしてもその立ち上がり部４２が肌に直接接触することが無く、立ち上がり部４２と肌との摩擦による不快感が生じることが無い。また、袖縫い部４１は針糸の張力を弱めた状態でオーバーロック縫いされているため、生地に張力が掛かると立ち上がり部４２が比較的平坦になり、また、外観上それほど目立つ部位でないため、美観を損なうこともない。
【００３８】
これに対して、袖付け部５，６は、前身頃２と後身頃３の裁ち端と、前袖部４ａと後袖部４ｂの裁ち端が肌側に向けて揃えられ、針糸に通常の張力が掛かった状態でオーバーロック縫いされる。袖縫い部４１と同様の縫着仕様を採用すると、縫着された立ち上がり部が目立ち、表裏逆に着用しているような誤解を招く虞があり、これを回避するためである。
【００３９】
しかし、本発明による肌着１は、このような縫着仕様に限定されることは無く、袖付け部５，６も袖縫い部４１と同様に、裁ち端を外方に向けて揃え、針糸の張力を弱めた状態でオーバーロック縫いしてもよい。この場合、縫着された立ち上がり部が肌に当接することが無いので肌への刺激が無く、着用感が向上する。
【００４０】
図５には、JIS L4004で規定されている成人男子用の「範囲表示」のＬサイズに対応する既製の肌着の基準パターンＢＰ（破線）に対して、本発明を適用した肌着のパターンＣＰ（実線）が対比可能に示されている。図２（ａ），（ｂ）に既製の肌着の基準パターンＢＰに従って製造された肌着が示され、図３（ａ），（ｂ）に本発明を適用した肌着のパターンＣＰに従って製造された肌着が示されている。
【００４１】
本発明を適用した肌着１は、袖付け部５，６の前刳り及び後刳りが同じ値に設定されている基準パターンＢＰに対して、袖付け部の前刳りが最大で１ｃｍ深く、後刳りが最大で２ｃｍ浅く設定され、前身頃２及び後身頃３の肩先７の位置が基準パターンＢＰと略同じ位置で、肩先７から首先８に到る肩接ぎ９の水平面に対する角度θが基準パターンＢＰよりも立つように設定されている。
【００４２】
袖付け部５の前刳りが深く設定されると実質的に胸幅Ｌ２が狭くなり、また袖付け部６の後刳りが浅く設定されると実質的に背幅Ｌ３が広くなり、結果として袖部４に腕を通した着用状態で後身頃３に背幅方向の突っ張りを感じることが無くなる。
【００４３】
さらに、肩先７から首先８に到る肩接ぎ９の水平面に対する角度θが約１０〜１５度の基準パターンＢＰよりも立つように本例では約２５度に設定されているため、高齢者のなで肩に肌着１の肩接ぎ９が沿うようになる。
【００４４】
しかも、このとき、前身頃２及び後身頃３の肩先７の位置が基準パターンＢＰと略同じ位置に設定されているため、首先８の位置が基準パターンＰＢよりも上方に位置することとなり、実質的に身丈Ｌ１が長くなり、身丈方向の突っ張り感も解消される。
【００４５】
そして、このような肌着は構成、デザイン上基準パターンと大きく異なることが無いため、着用時の美観を損なうことなく、従って抵抗感なく着用できるようになる。
【００４６】
また、後首刳りが基準パターンより浅く設定され、身長の縮みに対応して身丈が基準パターンよりも数ｃｍ短く設定されている。首がやや前方に屈んだ姿勢に対応して、後首刳りが基準パターンより浅く設定されているので、首がやや前方に屈んだ姿勢であっても、首筋が大きく露出すること無く、また裾部が上方に引き上げられることも無い快適な着用状態を維持できるようになる。
【００４７】
図６には、本発明を適用した肌着１の別の態様が例示されている。この態様では平編やリブ編等の丸編機で編成された筒状の生地をカットして一枚のシート状の生地とした後、本発明による肌着のパターンで裁断され、縫着されて製造されている。従って、前身頃２と後身頃３が脇縫いされている。尚、身体の正中線を脇側に投影した脇線Ｓに沿って脇縫いされている必要は無く、図に示すように、袖付け部５の深い前刳りに対応して、脇線Ｓより胸側から脇線と交差して背側に到る傾斜カーブＳ１に沿って脇縫いされていてもよい。
【００４８】
また、脇縫い仕様として、前身頃２と後身頃３の裁ち端が肌側に向けて揃えられ、針糸に通常の張力が掛かった状態でオーバーロック縫いされる態様、前身頃２と後身頃３の裁ち端が外側に向けて揃えられ、針糸に掛かる張力を通常よりも弱めた状態でオーバーロック縫いされる態様の何れを採用してもよい。
【００４９】
肌着の縫製に用いる糸種として肌に優しいウーリー糸が好適である。ただし、スパン糸や綿糸を用いることも可能である。
【００５０】
以下、本発明を適用した肌着の別実施形態を説明する。
上述した実施形態では成人男子高齢者のＬサイズの肌着を例示したが、Ｍサイズ、Ｓサイズ、ＬＬサイズ等、各サイズに展開することが可能なことは言うまでもない。
【００５１】
上述した実施形態では丸首半袖の肌着を例に説明したが、七部袖や長袖の肌着にも適用可能である。また、丸首以外にＵ首、Ｖ首、ヘンリーネック等のデザインを採用することも可能である。また、前身頃が左右に分かれた全開の肌着にも適用可能である。
【００５２】
生地（編地）を構成する糸種は単糸または双糸の綿糸が好ましく、季節に応じてその番手を適宜変更することが可能である。綿以外に、麻や絹等の天然繊維、ポリエステル糸等の合繊糸等を用いてもよい。
【００５３】
上述した実施形態では成人男子高齢者用の肌着を例示したが、本発明は成人女子高齢者の肌着にも適用可能である。
【００５４】
上述した実施形態では本発明を高齢者の肌着に適用した例を説明したが、本発明は肌着に限らずスポーツシャツ等のアウターウェアにも適用することができる。
【産業上の利用可能性】
【００５５】
本発明は、男女を問わず高齢者の特徴的な体形の変化に対応した快適な着用感を得ることができるによる高齢者用の衣類として好適に使用できる。
【符号の説明】
【００５６】
１：肌着
２：前身頃
３：後身頃
４：袖部
５：前身頃の袖付け部
６：後身頃の袖付け部
７：肩先
８：首先
９：肩接ぎ部
１０：襟刳り部
Ｔ：生地
【図１】
2014047457.tif 000003
【図２】
2014047457.tif 000004
【図３】
2014047457.tif 000005
【図４】
2014047457.tif 000006
【図５】
2014047457.tif 000007
【図６】
2014047457.tif 000008